(57)【要約】【課題】羽根の外径を大きくすることなく地盤支持力を増大させることができる鋼管杭及び鋼管杭用羽根の補強部材を提供する。【解決手段】鋼管杭１１には当該鋼管杭１１の地盤へのねじ込みに伴う羽根１５ａ，１５ｂの変形（例えば上方への反り返り）を抑制する変形抑制構造を設けるようにした。即ち、羽根１５ａ，１５ｂの全周を一括して覆うようにして補強部材２１を当該羽根１５ａ，１５ｂの外周縁に固定するようにした。具体的には、羽根１５ａ，１５ｂが固定された鋼管杭１１に両端が開口した円筒状の補強部材２１を挿通し、この状態で羽根１５ａ，１５ｂの外周縁と補強部材２１の内周面とを溶接により固定するようにした。このため、鋼管杭１１の地盤へのねじ込みに伴う羽根１５ａ，１５ｂの変形が防止される。従って、羽根１５ａ，１５ｂの外径を大きくすることなく羽根１５ａ，１５ｂによる地盤支持力が増大する。【選択図】        図１
2004176438.tif 000002
【特許請求の範囲】
【請求項１】
鋼管の下部に取付けた単数又は複数の羽根を利用して地盤にねじ込むようにした鋼管杭において、
前記単数又は複数の羽根には、地盤へのねじ込みの際の地盤反力に起因する当該羽根の変形を抑制する変形抑制構造を設けるようにした鋼管杭。
【請求項２】
前記変形抑制構造は単数又は複数の羽根の全周を一括して覆うようにして当該羽根の外周縁に固定された補強部材である請求項１に記載の鋼管杭。
【請求項３】
前記鋼管の下部外周面には複数の羽根をそれぞれ鋼管の中心軸に直交する平面に対して同一の角度で且つ地盤へのねじ込みの際の鋼管の回転方向へ下方傾斜するように取付け、
前記変形抑制構造は各羽根の外周縁の一部又は全部を相互に連結する単数又は複数の補強部材を備えている請求項１に記載の鋼管杭。
【請求項４】
鋼管杭の下部に設けられた単数又は複数の羽根に取付けられ、当該羽根の地盤へのねじ込みに伴う変形を抑制する鋼管杭用羽根の補強部材であって、
単数又は複数の羽根の全周を一括して覆い得るように形成した鋼管杭用羽根の補強部材。
【請求項５】
鋼管杭の下部に設けられた複数の羽根に取付けられ、当該羽根の地盤へのねじ込みに伴う変形を抑制する鋼管杭用羽根の補強部材であって、
各羽根の外周縁の一部又は全部を相互に連結し得るように形成した鋼管杭用羽根の補強部材。
【発明の詳細な説明】
【０００１】
【発明の属する技術分野】
本発明は、例えば建設物の基礎として使用されるねじ込み式の鋼管杭及び鋼管杭用羽根の補強部材に関するものである。
【０００２】
【従来の技術】
従来より、次のような鋼管杭が知られている。即ち、図１３（ａ）に示すように、鋼管杭５１は鋼管５２及び当該鋼管５２の先端部付近の外周面に所定の角度で傾斜するように固定された一対の羽根５３ａ，５３ｂを備えている。そして、地上に設置した施工装置（図示略）により鋼管杭５１に回転力及びねじ込み方向への押圧力を与えると、当該鋼管杭５１は羽根５３ａ，５３ｂのねじ作用により地中にねじ込まれる（例えば、特許文献１参照。）。
【０００３】
【特許文献１】
特開平１０−２９２３７０号公報
【０００４】
【発明が解決しようとする課題】
しかしながら、前記従来の鋼管杭には次のような問題があった。即ち、図１３（ｂ）に示すように、鋼管杭５１の地盤へのねじ込みに伴って、羽根５３ａ，５３ｂは地盤からの反力（地盤反力）を受け、当該羽根５３ａ，５３ｂには上方への曲げモーメントが作用する。この結果、羽根５３ａ，５３ｂは上向きに反り返り、当該鋼管杭５１の地盤支持力が低下する。このため、羽根５３ａ，５３ｂの反り返り（変形）による地盤支持力の低下を予め考慮して当該羽根５３ａ，５３ｂの設計が行われていた。
【０００５】
即ち、図１４に示すように、羽根５３ａ，５３ｂの有効径ｄｅを当該羽根５３ａ，５３ｂの外径ｄの１／２として鋼管杭５１の地盤支持力を算出していた。地盤支持力を増大させる場合には羽根５３ａ，５３ｂの外径を大きくするのが一般的であるので、大きな地盤支持力を得ようとするほど羽根５３ａ，５３ｂの外径が大きくなるという問題があった。
【０００６】
本発明は上記問題点を解決するためになされたものであって、その目的は、羽根の外径を大きくすることなく地盤支持力を増大させることができる鋼管杭及び鋼管杭用羽根の補強部材を提供することにある。
【０００７】
【課題を解決するための手段】
請求項１に記載の発明は、鋼管の下部に取付けた単数又は複数の羽根を利用して地盤にねじ込むようにした鋼管杭において、前記単数又は複数の羽根には、地盤へのねじ込みの際の地盤反力に起因する当該羽根の変形を抑制する変形抑制構造を設けるようにしたことを要旨とする。
【０００８】
請求項２に記載の発明は、請求項１に記載の鋼管杭において、前記変形抑制構造は単数又は複数の羽根の全周を一括して覆うようにして当該羽根の外周縁に固定された補強部材であることを要旨とする。
【０００９】
請求項３に記載の発明は、請求項１に記載の鋼管杭において、前記鋼管の下部外周面には複数の羽根をそれぞれ鋼管の中心軸に直交する平面に対して同一の角度で且つ地盤へのねじ込みの際の鋼管の回転方向へ下方傾斜するように取付け、前記変形抑制構造は各羽根の外周縁の一部又は全部を相互に連結する単数又は複数の補強部材を備えていることを要旨とする。
【００１０】
請求項４に記載の発明は、鋼管杭の下部に設けられた単数又は複数の羽根に取付けられ、当該羽根の地盤へのねじ込みに伴う変形を抑制する鋼管杭用羽根の補強部材であって、単数又は複数の羽根の全周を一括して覆い得るように形成したことを要旨とする。
【００１１】
請求項５に記載の発明は、鋼管杭の下部に設けられた複数の羽根に取付けられ、当該羽根の地盤へのねじ込みに伴う変形を抑制する鋼管杭用羽根の補強部材であって、各羽根の外周縁の一部又は全部を相互に連結し得るように形成したことを要旨とする。
【００１２】
（作用）
請求項１に記載の発明によれば、地盤反力に起因する単数又は複数の羽根の変形が抑制される。このため、変形抑制構造を設けないようにした場合と異なり、当該羽根の外径を大きくすることなく鋼管杭の地盤支持力が増大する。
【００１３】
請求項２に記載の発明によれば、請求項１に記載の発明の作用に加えて、補強部材は単数又は複数の羽根の全周を一括して覆うようにして当該羽根の外周縁に固定される。このため、単数又は複数の羽根は変形しにくくなる。
【００１４】
請求項３に記載の発明によれば、複数の羽根の外周縁の一部又は全部は単数又は複数の補強部材により相互に連結される。このため、鋼管杭のねじ込みの際の地盤反力に起因する各羽根の変形が抑制される。従って、補強部材を設けないようにした場合と異なり、当該羽根の外径を大きくすることなく地盤支持力が増大する。
【００１５】
請求項４に記載の発明によれば、単数又は複数の羽根の全周を一括して覆うように鋼管杭用羽根の補強部材を配置し、この状態で当該補強部材を当該羽根の外周縁に固定することにより、鋼管杭の地盤へのねじ込みに伴う羽根の変形が抑制される。従って、羽根の外径を大きくすることなく地盤支持力が増大する。
【００１６】
請求項５に記載の発明によれば、鋼管杭の下部に設けられた複数の羽根の外周縁を鋼管杭用羽根の補強部材により相互に連結することにより、鋼管杭の地盤へのねじ込みに伴う各羽根の変形が抑制される。従って、各羽根の外径を大きくすることなく地盤支持力が増大する。
【００１７】
【発明の実施の形態】
（第１実施形態）
以下、本発明を例えば建設物の基礎として使用されるねじ込み式の鋼管杭に具体化した一実施形態を図１〜図４に従って説明する。
【００１８】
（全体の構成）
図１及び図２に示すように、鋼管杭１１は両端が開口した筒状の鋼管１２、この鋼管１２の下端開口部を閉塞する板状の閉塞部材１３、この閉塞部材１３の下面、即ち鋼管１２の先端面に設けられた先端ビット１４、及び同じく鋼管１２の下部外周面に設けられた一対の羽根１５ａ，１５ｂを備えている。また、鋼管杭１１は羽根１５ａ，１５ｂの全周を覆うようにして当該羽根１５ａ，１５ｂの外周縁に固定された補強部材２１を備えている。
【００１９】
（閉塞部材）
前記閉塞部材１３は鋼管１２の下端開口部に溶接により固定されている。この閉塞部材１３は鋼管杭１１を地中にねじ込む際には当該鋼管杭１１の下端側の土砂や砂礫を当該鋼管杭１１の外周側に押し出し、ねじ込み完了後には地盤からの反力（以下、「地盤反力」という。）を受けて地盤支持力を発揮する。
【００２０】
（先端ビット）
前記先端ビット１４（掘削刃）は板材により五角形状に形成されている。この先端ビット１４は、閉塞部材１３下面の中心に向かうほど当該閉塞部材１３下面からの突出高さが高くなり、同じく外周縁に向かうほど当該閉塞部材１３下面からの突出高さが低くなるように当該閉塞部材１３の下面に直交するように固定されている。鋼管杭１１を地盤にねじ込む際、先端ビット１４は当該鋼管杭１１の下端側（先端側）の土砂や砂礫を掘削軟化すると共に当該鋼管杭１１の地盤へのねじ込みを案内する掘削ガイドとして機能する。
【００２１】
（羽根）
羽根１５ａ，１５ｂは、外径が鋼管１２の外径よりも大きく且つ内径が鋼管１２の外径とほぼ同じとされたドーナツ状の板材を中心で２分割することにより扇形に形成されている。そして、羽根１５ａ，１５ｂはそれぞれの内周縁において鋼管１２の先端外周面に溶接により固定されている。羽根１５ａ，１５ｂはそれぞれ鋼管１２の中心軸に直交する平面Ｓ（図１参照）に対して同一の角度で且つ地盤へのねじ込みの際の鋼管１２の回転方向（図１及び図２に示す矢印Ａ方向）へ下方傾斜するように鋼管１２の外周面に取付けられている。羽根１５ａ，１５ｂの始端部１５ａｏ，１５ｂｏは同じく終端部１５ａｅ，１５ｂｅよりも鋼管１２の下端側（図１における下方）に位置している。
【００２２】
鋼管杭１１を地盤にねじ込む際、鋼管杭１１の回転により羽根１５ａ，１５ｂは当該鋼管杭１１の外周側の未掘削地盤（土砂や砂礫）に食込み、この羽根１５ａ，１５ｂの上部には土砂や砂礫の耐力が反力として作用する。このため、鋼管杭１１にはねじ込み方向の推進力が作用する。鋼管杭１１のねじ込み完了後は前記閉塞部材１３と共に地盤反力を受けて地盤支持力を発揮する。
【００２３】
（補強部材）
補強部材２１は羽根１５ａ，１５ｂの全周を一括して覆い得るように形成されている。換言すれば、補強部材２１は羽根１５ａ，１５ｂの外周縁の全部を相互に連結し得るように形成されている。そして、補強部材２１は羽根１５ａ，１５ｂの全周を一括して覆うようにして当該羽根１５ａ，１５ｂの外周縁に溶接により固定されている。
【００２４】
具体的に説明すると、補強部材２１は両端が開口した円筒状に形成されており、当該補強部材２１の内径は当該羽根１５ａ，１５ｂの外径（先端拡大径）ｄとほぼ同じとされている。そして、補強部材２１を羽根１５ａ，１５ｂが固定された鋼管杭１１に挿通した状態で、羽根１５ａ，１５ｂの外周縁と補強部材２１の内周面とが溶接により固定されている。羽根１５ａ，１５ｂの上端縁（終端部１５ａｅ，１５ｂｅ）及び下端縁（始端部１５ａｏ，１５ｂｏ）がそれぞれ補強部材２１の上端縁及び下端縁から突出しないように当該補強部材２１は配置されている。
【００２５】
尚、本実施形態において、補強部材２１は鋼管杭１１の地盤へのねじ込みに伴う羽根１５ａ，１５ｂの変形（例えば上方への反り返り）を抑制する変形抑制構造を構成する。
【００２６】
（実施形態の作用）
次に、前述のように構成した鋼管杭の施工時の作用について説明する。
鋼管杭１１を地中に埋設する際には、地上に設置した施工装置（図示略）により鋼管杭１１を埋設しようとする地面に起立させ、この状態で鋼管杭１１に回転力及びねじ込み方向への押圧力を与える。すると、鋼管杭１１は先端ビット１４により地盤を掘削軟化しながら羽根１５ａ，１５ｂのねじ作用により地盤（地中）にねじ込まれる。即ち、羽根１５ａ，１５ｂは鋼管杭１１の外周側の地盤に食い込み、当該羽根１５ａ，１５ｂの上面に作用する土砂や砂礫の耐力を反力として鋼管杭１１を地中に回転推進させる。鋼管杭１１の下端側の土砂や砂礫は鋼管杭１１のねじ込みに伴って当該鋼管杭１１の外周側に押し出される。
【００２７】
鋼管杭１１の地盤へのねじ込みに伴って、羽根１５ａ，１５ｂはそれぞれの下面下の地盤から反力（地盤反力）を受けて上方への曲げモーメントが作用する。しかしながら、羽根１５ａ，１５ｂの外周縁が補強部材２１の内周縁に固定されているので、鋼管杭１１の地盤へのねじ込みに伴って羽根１５ａ，１５ｂ（特に、羽根１５ａ，１５ｂの始端部１５ａｏ，１５ｂｏ；食込み部）が上方に反り返ることはない。このため、補強部材２１を設けないようにした場合と異なり、羽根１５ａ，１５ｂによる地盤支持力が確保される。
【００２８】
鋼管杭１１の下端（先端）が所定の支持層Ｇ（図４参照）に達すると、鋼管杭１１の地盤へのねじ込みは完了となる。補強部材２１を設けないようにして羽根１５ａ，１５ｂが変形した場合に比べて、羽根１５ａ，１５ｂによる地盤支持力が増大するので、鋼管杭１１のねじ込み深さＤを浅くすることができる（図４参照）。
【００２９】
（実施形態の効果）
従って、本実施形態によれば、以下の効果を得ることができる。
（１）鋼管杭１１には当該鋼管杭１１の地盤へのねじ込みに伴う羽根１５ａ，１５ｂの変形（上方への反り返り）を抑制する変形抑制構造を設けるようにした。即ち、羽根１５ａ，１５ｂの全周を一括して覆うようにして補強部材２１を当該羽根１５ａ，１５ｂの外周縁に固定するようにした。換言すれば、羽根１５ａ，１５ｂの外周縁の全部を補強部材２１により相互に連結するようにした。このため、鋼管杭１１の地盤へのねじ込みに伴う羽根１５ａ，１５ｂの変形が抑制される。従って、補強部材２１を設けないようにした場合と異なり、羽根１５ａ，１５ｂの外径ｄを大きくすることなく、羽根１５ａ，１５ｂによる地盤支持力、ひいては鋼管杭１１全体の地盤支持力を増大させることができる。
【００３０】
（２）また、羽根１５ａ，１５ｂによる地盤支持力、ひいては鋼管杭１１の地盤支持力が増大することにより、鋼管杭１１のねじ込み深さＤを浅くすることができる。さらに、鋼管杭１１のねじ込み深さＤを浅くした分だけ鋼管１２を短くすることができる。
【００３１】
（３）羽根１５ａ，１５ｂが固定された鋼管杭１１に両端が開口した円筒状の補強部材２１を挿通し、この状態で羽根１５ａ，１５ｂの外周縁と補強部材２１の内周面とを溶接により固定するようにした。即ち、羽根１５ａ，１５ｂに補強部材２１を固定するだけのため、鋼管１２の先端部に板状又は螺旋状の羽根が設けられた既存の鋼管杭に対して簡単に後付けすることができる。また、構成が複雑になることもない。
【００３２】
（４）羽根１５ａ，１５ｂの全周を一括して覆うようにして補強部材２１を当該羽根１５ａ，１５ｂの外周縁に固定するようにした。このため、地盤にねじ込む際の鋼管杭１１の挙動が安定する。また、地盤にねじ込む際の鋼管杭１１の位置決め精度が向上する。即ち、ねじ込み時における鋼管杭１１の芯ずれを抑制することができる。
【００３３】
（５）補強部材２１により鋼管杭１１のねじ込み時における羽根１５ａ，１５ｂの変形が抑制される。このため、補強部材２１を設けないようにした場合に比べて、羽根１５ａ，１５ｂの肉厚を薄くすることができる。
【００３４】
（６）地盤支持力を増大させるために羽根１５ａ，１５ｂの外径ｄを大きくしても、当該羽根１５ａ，１５ｂの変形が補強部材２１により抑制されるので、羽根１５ａ，１５ｂの肉厚の増大を極力抑えることができる。
【００３５】
（７）補強部材２１は両端が開口した円筒状に形成するようにした。このため、製造が簡単である。また、構成が簡単であり羽根１５ａ，１５ｂへの取付けも簡単である。さらに、大量生産にも対応することができる。
【００３６】
（第２実施形態）
次に、本発明の第２実施形態を説明する。本実施形態は補強部材２１の構成の点において前記第１実施形態と異なる。従って、前記第１実施形態と同一の構成については同一の符号を付し、その重複した説明を省略する。
【００３７】
図５に示すように、補強部材２１の周壁の中間部（例えば羽根１５ａ，１５ｂの始端部１５ａｏと羽根１５ｂの終端部１５ｂｅとの間、及び羽根１５ｂの始端部１５ｂｏと羽根１５ａの終端部１５ａｅとの間）には複数の排出口２２が形成されている。鋼管杭１１のねじ込み過程において、先端ビット１４により掘削軟化された当該鋼管杭１１下端側の土砂や砂礫は鋼管杭１１のねじ込みに伴って当該鋼管杭１１の外周側に押し出され、排出口２２を介して当該鋼管杭１１の外周側に排出される。従って、本実施形態によれば、前記第１実施形態の（１）〜（７）に記載の効果に加えて、鋼管杭１１の下端側の土砂や砂礫が補強部材２１内に滞留することが抑制され、当該鋼管杭１１を地盤にいっそう円滑にねじ込むことができる。
【００３８】
（第３実施形態）
次に、本発明の第３実施形態を説明する。
図６に示すように、補強部材２１の外周面には複数の羽根２３ａ，２３ｂがさらに設けられている。羽根２３ａ，２３ｂは、外径が補強部材２１の外径よりも大きく且つ内径が補強部材２１の外径とほぼ同じとされたドーナツ状の板材を中心で２分割されることにより扇形に形成されている。そして、羽根２３ａ，２３ｂはそれぞれの内周縁において補強部材２１の外周面に溶接により固定されている。羽根２３ａ，２３ｂはそれぞれ鋼管１２の中心軸に直交する平面に対して同一の角度で且つ地盤へのねじ込みの際の鋼管杭１１の回転方向へ下方傾斜するように取付けられている。羽根２３ａ，２３ｂは羽根１５ａ，１５ｂと共に同一の仮想平面Ｆ１，Ｆ２上にある。
【００３９】
従って、本実施形態によれば、前記第１実施形態の（１）〜（７）に記載の効果に加えて、鋼管杭１１の地盤支持力を羽根２３ａ，２３ｂの下面の面積の分だけ増大させることができる。また、羽根１５ａ，１５ｂと羽根２３ａ，２３ｂとをそれぞれ一体形成するようにした場合と異なり、鋼管杭１１のねじ込みに伴って羽根２３ａ，２３ｂに作用する曲げモーメントは小さくなる。このため、羽根２３ａ，２３ｂの上方への反り返りも小さなものとなり、地盤支持力が有効に発揮される。尚、図５においては、羽根１５ａを二点鎖線（仮想線）で示す。
【００４０】
（第４実施形態）
次に、本発明の第４実施形態を説明する。
図７に示すように、羽根１５ａ，１５ｂの上端縁（終端部１５ａｅ，１５ｂｅ）側の半分を覆い得るように補強部材２１は形成されている。羽根１５ａ，１５ｂの上端縁側の半分の外周縁と補強部材２１の内周面とは溶接により固定されている。このため、本実施形態によれば、前記第１実施形態の（２）〜（７）に記載の効果に加えて、少なくとも羽根１５ａ，１５ｂの上端縁側の半分における変形（反り返り）を抑制することができる。
【００４１】
（第５実施形態）
次に、本発明の第５実施形態を説明する。
図８に示すように、羽根１５ａ，１５ｂの下端縁（始端部１５ａｏ，１５ｂｏ）側の半分を覆い得るように補強部材２１は形成されている。羽根１５ａ，１５ｂの下端縁側の半分の外周縁と補強部材２１の内周面とは溶接により固定されている。このため、本実施形態によれば、前記第１実施形態の（２）〜（７）に記載の効果に加えて、少なくとも羽根１５ａ，１５ｂの下端縁側の半分における変形（反り返り）を抑制することができる。
【００４２】
（第６実施形態）
次に、本発明の第６実施形態を説明する。
図９に示すように、羽根１５ａ，１５ｂの中間部（始端部１５ａｏ，１５ｂｏと終端部１５ａｅ，１５ｂｅとの間）を覆い得るように補強部材２１は形成されている。羽根１５ａ，１５ｂの中間部の外周縁と補強部材２１の内周面とは溶接により固定されている。従って、本実施形態によれば、前記第１実施形態の（２）〜（７）に記載の効果に加えて、補強部材２１を設けないようにした場合に比べて、鋼管杭１１のねじ込みに伴う羽根１５ａ，１５ｂの変形（反り返り）を抑制することができる。
【００４３】
（第７実施形態）
次に、本発明の第７実施形態を説明する。
図１０（ａ），（ｂ）に示すように、補強部材２１は羽根１５ａ，１５ｂの外周縁の一部を相互に連結し得るように形成されている。即ち、補強部材２１は、羽根１５ａの下端縁側と羽根１５ｂの上端縁側とを連結する第１補強部材２１ａと、羽根１５ａの上端縁側と羽根１５ｂの下端縁側とを連結する第２補強部材２１ｂとを備えている。
【００４４】
羽根１５ａの下端縁（始端部１５ａｏ）側の外周縁と羽根１５ｂの上端縁（終端部１５ｂｅ）側の外周縁との間には第１補強部材２１ａが溶接により固定されている。羽根１５ａの上端縁（終端部１５ａｅ）側の外周縁と羽根１５ｂの下端縁（始端部１５ｂｏ）側の外周縁との間には第２補強部材２１ｂが溶接により固定されている。このため、本実施形態によれば、前記第１実施形態の（１）〜（７）に記載の効果に加えて、羽根１５ａ，１５ｂの全周を覆い得るように補強部材２１を形成するようにした場合に比べて、当該補強部材２１の材料コストを低減させることができる。
【００４５】
（別例）
尚、前記実施形態は以下のような別例に変更して実施してもよい。
・第１〜第７実施形態では、羽根１５ａ，１５ｂを１組だけ設けるようにしたが、複数組み設けるようにしてもよい。例えば２組の羽根１５ａ，１５ｂを鋼管１２の中心軸に沿う方向に所定の間隔をおいて当該鋼管１２の外周面に配置固定する。そして、各組毎に補強部材２１を固定する。又は、各組の羽根１５ａ，１５ｂを一括して補強部材２１により覆い、各組の羽根１５ａ，１５ｂの外周縁と補強部材２１の内周面とを溶接により固定する。このようにすれば、羽根１５ａ，１５ｂを多段階に設けるようにした鋼管杭において、前記第１実施形態の（１）〜（７）に記載の効果と同様の効果を得ることができる。
【００４６】
・第１〜第７実施形態では、鋼管１２の外周面に複数の羽根１５ａ，１５ｂを固定するようにしたが、連続した１枚の螺旋状の羽根又は不連続の複数枚の螺旋状の羽根を鋼管杭１１の外周面に巻き付けるようにして固定してもよい。そして、補強部材２１によりこの螺旋状の羽根の全周を一括して覆うようにし、当該螺旋状の羽根の外周縁と補強部材２１の内周面とを溶接により固定する。このようにすれば、螺旋状の羽根を有した鋼管杭において、前記第１実施形態の（１）〜（７）に記載の効果と同様の効果を得ることができる。
【００４７】
・第１〜第７実施形態では、鋼管１２の外周面に２枚の羽根１５ａ，１５ｂを固定するようにしたが、３枚、４枚又はそれ以上の羽根を鋼管１２の外周面に固定するようにしてもよい。そして、補強部材２１によりこの各羽根の外周を一括して覆い、当該各羽根の外周縁と補強部材２１の内周面とを溶接により固定する。このようにすれば、３枚異常の羽根を有した鋼管杭において、前記第１実施形態の（１）〜（７）に記載の効果と同様の効果を得ることができる。
【００４８】
・第７実施形態では、補強部材２１を第１補強部材２１ａ及び第２補強部材２１ｂの２つの部材から構成したが、３つ、４つ又はそれ以上の部材から構成するようにしてもよい。そして、例えば、補強部材２１を構成する各部材を羽根１５ａ，１５ｂの外周縁に所定間隔おきに固定する。このようにしても、第１実施形態の（１）〜（７）に記載の効果及び第７実施形態と同様の効果を得ることができる。
【００４９】
・図１１（ａ）に示すように、補強部材２１の下端縁の内周側にテーパ面２１ｔａを形成するようにしてもよい。また、図１１（ｂ）に示すように、補強部材２１の下端縁の外周側にテーパ面２１ｔｂを形成するようにしてもよい。さらに、図１１（ｃ）に示すように、補強部材２１の下端縁の内周側及び外周側にそれぞれテーパ面２１ｔｃを形成するようにしてもよい。このようにすれば、鋼管杭１１の地盤へのねじ込み時において、補強部材２１に作用する地盤の抵抗が軽減され、ねじ込みをいっそう円滑に行うことができる。
【００５０】
・第１〜第６実施形態では、補強部材２１を単一の部材としたが、補強部材２１を当該補強部材２１の中心軸周方向において複数に分割するようにしてもよい。例えば、図１２（ａ），（ｂ）に示すように、補強部材２１を２分割及び４分割にする。このようにすれば、補強部材２１の運搬が簡単になる。また、補強部材２１の取り扱いも簡単になる。
【００５１】
（付記）
次に前記実施形態及び別例から把握できる技術的思想を以下に追記する。
（イ）前記補強部材は少なくとも隣接する羽根における始端部側の外周縁と終端部側の外周縁とを相互に連結する複数の連結部材を備えている請求項３に記載の鋼管杭。
【００５２】
（ロ）前記補強部材は各羽根の全周を囲うようにして各羽根の外周縁に固定されている請求項３に記載の鋼管杭。
（ハ）前記補強部材は各羽根の始端部側の外周縁、同じく中間部付近の外周縁、又は終端部側の外周縁を相互に連結している前記（イ）項に記載の鋼管杭。
【００５３】
（ニ）前記補強部材の周壁には土砂や砂礫の排出口を形成するようにした請求項２又は請求項３に記載の鋼管杭。この構成によれば、土砂や砂礫が排出口を介して排出されるので、鋼管杭のねじ込み速度が確保され、当該鋼管杭のねじ込みを円滑に行うことができる。
【００５４】
（ホ）前記補強部材の外周面には単数又は複数の羽根をさらに設けるようにした請求項２に記載の鋼管杭。この構成によれば、鋼管杭の地盤支持力を増大させることができる。また、補強部材を介在させることなく同じ外径を有するように羽根を形成して当該羽根を鋼管の外周面に固定するようにした場合に比べて、補強部材への固定部（内周縁）から外周縁までの距離が短いので、地盤反力による曲げモーメントが小さくなる。この結果、補強部材の外周に固定した羽根の変形が抑制される。
【００５５】
【発明の効果】
本発明によれば、鋼管杭の地盤へのねじ込みに伴う羽根の変形が抑制されることにより、羽根の外径を大きくすることなく鋼管杭の地盤支持力を増大させることができる。
【図面の簡単な説明】
【図１】第１実施形態における鋼管杭の正面図。
【図２】第１実施形態における鋼管杭の下面図。
【図３】図２における１−１線要部断面図。
【図４】第１実施形態における鋼管杭のねじ込み深さを示す正面図。
【図５】第２実施形態における鋼管杭の要部正断面図。
【図６】第３実施形態における鋼管杭の要部部分断面図。
【図７】第４実施形態における鋼管杭の要部正面図。
【図８】第５実施形態における鋼管杭の要部正面図。
【図９】第６実施形態における鋼管杭の要部正面図。
【図１０】（ａ）は、第７実施形態における鋼管杭の要部斜視図、
（ｂ）は、第７実施形態における鋼管杭の下面図。
【図１１】（ａ）〜（ｃ）は、それぞれ別の実施形態における補強部材の要部正断面図。
【図１２】（ａ），（ｂ）は、それぞれ別の実施形態における補強部材の平面図。
【図１３】（ａ）は、従来の鋼管杭の要部正面図、
（ｂ）は、従来の鋼管杭の羽根の反り返りを示す要部正面図。
【図１４】従来の鋼管杭の下面図。
【符号の説明】
１１…鋼管杭、１２…鋼管、１５ａ，１５ｂ，２３ａ，２３ｂ…羽根、
２１…変形抑制構造を構成する補強部材、
２１ａ…補強部材を構成する第１補強部材、
２１ｂ…補強部材を構成する第２補強部材、２２…排出口、Ｓ…平面。
【図１】
2004176438.tif 000003
【図２】
2004176438.tif 000004
【図３】
2004176438.tif 000005
【図４】
2004176438.tif 000006
【図５】
2004176438.tif 000007
【図６】
2004176438.tif 000008
【図７】
2004176438.tif 000009
【図８】
2004176438.tif 000010
【図９】
2004176438.tif 000011
【図１０】
2004176438.tif 000012
【図１１】
2004176438.tif 000013
【図１２】
2004176438.tif 000014
【図１３】
2004176438.tif 000015
【図１４】
2004176438.tif 000016